(57)【要約】【課題】街灯切れの点検作業を自動化し、街灯切れの検出遅れをなくし、さらに街灯交換部品準備の効率化をはかれるようにした街灯監視システムを実現する。【解決手段】街灯設置場所毎に設けたモジュール３、３…では、街灯電流や照度の監視により検出部３１が街灯切れを検出する。この情報は一旦データメモリ３３に格納され、通信部３４、ネットワークシステム２を介してモジュールのＩＤとともに管理機関装置１へ送信される。管理機関装置１では、モジュールからの情報を受信するとそれをデータベース１３へ順次格納するとともに、街灯切れ情報があればそれを操作表示部１２へ表示してオペレータに街灯切れの発生を知らせる。また制御処理部１１は、データベース１３に格納された受信情報から各街灯の寿命を求め、街灯種別毎の寿命平均値などを算出・表示して保守データをオペレータに提供する。【選択図】　　　　図１
2004014210.tif 000002
【特許請求の範囲】
【請求項１】
街灯設置場所ごとに設置されたモジュールであって、街灯切れを検出するための検出手段と、データメモリと、ネットワークシステムを介して情報を送信する機能を有したモジュール用通信手段と、前記検出手段により検出された街灯切れ情報及び当該モジュールのＩＤを含む送信情報を生成して前記データメモリへ格納し、またこのデータメモリに格納された送信情報をネットワークシステムを介して送信するように前記通信手段を制御するためのモジュール用制御処理手段とから成るところのモジュールと、
前記モジュールの各々から送信された送信情報をネットワークシステムを介して受信するための管理機関用通信手段と、データベースと、操作表示手段と、前記管理機関用通信手段により受信された受信情報を前記データベースへ格納し、またその受信情報が街灯切れ情報を含んでいるときはその街灯切れ情報を当該モジュールのＩＤとともに前記操作表示手段へ表示する機能を有した管理機関用制御処理手段とから成るところの管理機関装置と、
を備えたことを特徴とする街灯監視システム。
【請求項２】
ホスト及び１又は複数のモジュールから成る１又は複数のセクタと、このセクタの各々とネットワークシステムを介して通信可能な管理機関装置とから成る街灯監視システムであって、
前記モジュールの各々は、街灯設置場所ごとに設けられ、街灯切れを検出するためのモジュール用検出手段と、モジュール用データメモリと、同一セクタ内のホストと通信するためのモジュール用ワイヤレス通信手段と、前記モジュール用検出手段により検出された街灯切れ情報及び当該モジュールのＩＤを含む送信情報を生成して前記モジュール用データメモリへ格納し、またこのモジュール用データメモリに格納された送信情報を同一セクタ内のホストへ送信するように前記モジュール用ワイヤレス通信手段を制御するためのモジュール用制御処理手段とを備え、
前記ホストは、前記モジュールとは別の街灯設置場所に設けられ、街灯切れを検出するためのホスト用検出手段と、ホスト用データメモリと、同一セクタ内のモジュールと通信するためのホスト用ワイヤレス通信手段と、ネットワークシステムを介して前記管理機関装置と通信するためのホスト用通信手段と、前記ホスト用検出手段により検出された街灯切れ情報及び当該ホストのＩＤを含む送信情報を生成して前記ホスト用データメモリへ格納し、また前記ホスト用ワイヤレス通信手段により受信された同一セクタ内のモジュールからの受信情報を前記ホスト用データメモリへ送信情報として格納し、さらにこのホスト用データメモリに格納された送信情報を前記管理機関装置へネットワークシステムを介して送信するように前記ホスト用通信手段を制御するためのホスト用制御処理手段とを備え、
前記管理機関装置は、前記ホストの各々から送信された送信情報をネットワークシステムを介して受信するための管理機関用通信手段と、データベースと、操作表示手段と、前記管理機関用通信手段により受信された受信情報を前記データベースへ格納し、またその受信情報が街灯切れ情報を含んでいるときはその街灯切れ情報を当該モジュールのＩＤとともに前記操作表示手段へ表示する機能を有した管理機関用制御処理手段とを備えたことを特徴とする街灯監視システム。
【請求項３】
前記管理機関用制御処理手段は、前記操作表示手段からの入力情報及び前記受信情報から街灯ごとの保守データを生成して前記データベースへ格納する機能と、前記保守データから街灯種別ごとの寿命実績を含む種別データを生成し前記データベースへ格納する機能と、前記操作表示手段からの指示があったときには前記保守データもしくは種別データを表示する機能とを備えたことを特徴とする請求項１又は２の街灯監視システム。
【発明の詳細な説明】
【０００１】
【発明の属する技術分野】
本発明は、街灯監視システムに係り、とくに広い地域に設置された多数の街灯の保守・管理を行うのに適した街灯監視システムに関する。
【０００２】
【従来の技術】
街路に設置された街灯が切れた場合、それを発見した通行人や周辺住民等が管理機関に連絡するか、あるいは保守点検員が配置されている場合にはその保守点検員が定期巡回により発見して管理機関に連絡する。管理機関は、この連絡を受けると、その切れた街灯を交換する。
【０００３】
【発明が解決しようとする課題】
通行人や周辺住民が街灯切れを発見したとき、そのことをすぐに管理機関へ連絡するとは限らず、管理機関による街灯切れの把握が大幅に遅れる可能性がある。とくに通行人の場合はどこへ連絡したらよいのかわからず、知らせること自体にも積極的でないことも多い。この場合には少なくとも他の人により発見されるまで連絡が遅れる。この結果、管理機関による街灯切れ検出が大幅に遅れると、交通事故や他の事故などの危険性が増大し好ましくない。
【０００４】
一方、保守点検員を配置して街灯切れを検出する場合には、点検周期を小さくするほど街灯切れの検出遅れを小さくできるが、管理区域が広いと多くの点検員を必要とし、経済面などからその要員確保は容易ではない。また点検作業を目視だけによる場合は街灯が点灯される夜間に限られ、過疎地や山間地などでは大変な労力を要する。昼間に点灯してみて点検することも可能だが、その場合には点検作業に時間がかかり、点検員の負担が増大する。
【０００５】
本発明の目的は、保守点検員による点検作業が不要で、通行人等による連絡がなくても街灯切れを管理機関で自動的かつ迅速に把握できるようにした街灯監視システムを提供することにある。
【０００６】
【課題を解決するための手段】
本発明は、街灯設置場所ごとに設置されたモジュールであって、街灯切れを検出するための検出手段と、データメモリと、ネットワークシステムを介して情報を送信する機能を有したモジュール用通信手段と、前記検出手段により検出された街灯切れ情報及び当該モジュールのＩＤを含む送信情報を生成して前記データメモリへ格納し、またこのデータメモリに格納された送信情報をネットワークシステムを介して送信するように前記通信手段を制御するためのモジュール用制御処理手段とから成るところのモジュールと、
前記モジュールの各々から送信された送信情報をネットワークシステムを介して受信するための管理機関用通信手段と、データベースと、操作表示手段と、前記管理機関用通信手段により受信された受信情報を前記データベースへ格納し、またその受信情報が街灯切れ情報を含んでいるときはその街灯切れ情報を当該モジュールのＩＤとともに前記操作表示手段へ表示する機能を有した管理機関用制御処理手段とから成るところの管理機関装置と、
を備えたことを特徴とする街灯監視システムを開示する。
【０００７】
更に本発明は、ホスト及び１又は複数のモジュールから成る１又は複数のセクタと、このセクタの各々とネットワークシステムを介して通信可能な管理機関装置とから成る街灯監視システムであって、
前記モジュールの各々は、街灯設置場所ごとに設けられ、街灯切れを検出するためのモジュール用検出手段と、モジュール用データメモリと、同一セクタ内のホストと通信するためのモジュール用ワイヤレス通信手段と、前記モジュール用検出手段により検出された街灯切れ情報及び当該モジュールのＩＤを含む送信情報を生成して前記モジュール用データメモリへ格納し、またこのモジュール用データメモリに格納された送信情報を同一セクタ内のホストへ送信するように前記モジュール用ワイヤレス通信手段を制御するためのモジュール用制御処理手段とを備え、
前記ホストは、前記モジュールとは別の街灯設置場所に設けられ、街灯切れを検出するためのホスト用検出手段と、ホスト用データメモリと、同一セクタ内のモジュールと通信するためのホスト用ワイヤレス通信手段と、ネットワークシステムを介して前記管理機関装置と通信するためのホスト用通信手段と、前記ホスト用検出手段により検出された街灯切れ情報及び当該ホストのＩＤを含む送信情報を生成して前記ホスト用データメモリへ格納し、また前記ホスト用ワイヤレス通信手段により受信された同一セクタ内のモジュールからの受信情報を前記ホスト用データメモリへ送信情報として格納し、さらにこのホスト用データメモリに格納された送信情報を前記管理機関装置へネットワークシステムを介して送信するように前記ホスト用通信手段を制御するためのホスト用制御処理手段とを備え、
前記管理機関装置は、前記ホストの各々から送信された送信情報をネットワークシステムを介して受信するための管理機関用通信手段と、データベースと、操作表示手段と、前記管理機関用通信手段により受信された受信情報を前記データベースへ格納し、またその受信情報が街灯切れ情報を含んでいるときはその街灯切れ情報を当該モジュールのＩＤとともに前記操作表示手段へ表示する機能を有した管理機関用制御処理手段とを備えたことを特徴とする街灯監視システムを開示する。
【０００８】
更に本発明は、前記管理機関用制御処理手段は、前記操作表示手段からの入力情報及び前記受信情報から街灯ごとの保守データを生成して前記データベースへ格納する機能と、前記保守データから街灯種別ごとの寿命実績を含む種別データを生成し前記データベースへ格納する機能と、前記操作表示手段からの指示があったときには前記保守データもしくは種別データを表示する機能とを備えたことを特徴とする街灯監視システムを開示する。
【０００９】
【発明の実施の形態】
以下、本発明の実施の形態を説明する。図１は、本発明の街灯監視システムの構成例を示すブロック図で、街灯設置場所ごとに設けられたモジュール３、３…と管理機関装置１とがネットワークシステム２を介して接続されている。ネットワークシステム２は、各モジュールから街灯切れの検出結果を含む情報を管理機関装置１へ送信できるシステムであればよく、かつ街灯設置場所に応じて利用しやすいものであればよい。例えば公衆電話網、携帯電話網、有線放送網、電力線搬送網、無線通信網などであり、必ずしもすべてのモジュールが同一種のネットワークを利用する必要もない。
【００１０】
モジュール３、３…の各々には街灯切れを検出する検出部３１、制御処理部３２、データメモリ３３、通信部３４が設けられている。このうち通信部３４は、当該モジュールが利用しているネットワークシステムに対応した通信機能を持つ。検出部３１による街灯切れの検出方法としては、例えば街灯の電源がオンとなっているときに流れる電流値を検出するか、あるいはフォトセンサーを設けて街灯の明るさを検出する。電流検出の場合には夜間に限らず、昼間でもテストのために一時電源オンとして検出動作を行える。フォトセンサーの場合は、周囲が明るい昼間の検出は不向きで、主に夜間での検出動作となる。
【００１１】
制御処理部３２は、検出部３１による検出結果の取り込みと、その結果を含む検査データを生成してデータメモリ３３への格納と、通信部３４を介しての検査データの管理機関装置への送信制御とを行う。まず検出部３１の検出結果の取り込みは、検査モードに応じて行う。検査モードとして、街灯切れを夜間などに常時監視し、街灯切れが検出されたタイミングでその情報を取り込む場合には、検出部３１から街灯切れ検出を示す情報をトリガとして取り込み動作を行う。検査モードとして周期的に検出動作を行う場合には、制御処理部３２から周期的に検出部３１にコマンドを出力して検出動作を行わせ、その結果を取り込む。いずれの検査モードの場合も、昼間などに検査を行わないときは、その時間帯の取り込み動作も停止する。
【００１２】
制御処理部３２が生成する検査データは、少なくとも管理機関装置１でそのデータがどの街灯のものかを識別可能なデータである必要がある。図２はその検査データのフォーマット例を示しており、該当する街灯がどこのものであるかを示すＩＤ、蛍光灯か普通の電球か、そのタイプ、ワット数、色など街灯の種別を示す種別情報、街灯切れを検出した時刻から成っている。ＩＤ及び種別情報はモジュールごとに固有の値であるので、それらはあらかじめ制御処理部にセットしておく。街灯切れ時間は、モジュール内にクロック機能を持たせておき、その時刻を参照する。なお、図２のフォーマット例では街灯切れの検出時刻を含むとしているが、街灯切れがないときはこの時刻を特定値（“０”など）としてそのことを示す。あるいは街灯切れがないときはフレーム作成せず、何も送信しないようにしてもよい。作成されたデータフレームはデータメモリ３３へ格納される。
【００１３】
制御処理部３２による管理機関装置１への検査データ送信制御は、データメモリ３３に格納された検査データを、街灯切れ発生のタイミング又は周期的なタイミングで通信部３４により送信するように制御するもので、この送信制御は、検査データが管理機関装置１で正常受信されたことを示す返信信号を受け取って終了するようにし、正常受信が確認されないときは再送制御を行うのが好ましい。このようにすることで、ネットワークシステム２の状況や管理機関装置１のトラフィック状態のために送信が失敗しても、再送によってより確実に検査データを送信できる。
【００１４】
管理機関１は、制御処理部１１、操作表示部１２、データベース１３、及び通信部１４を備えている。通信部１４は、モジュール３、３…が利用しているネットワークシステムが複数あれば、それらいずれのシステムに対しても動作する機能を持つ。
【００１５】
制御処理部１１は、各モジュールからの検査データの受信処理と、保守管理のための処理を行う。図３は、この制御処理部３２の動作を示すフローチャートの例で、まず検査データが通信部１４で受信されると（ステップ３０１でＹＥＳ）、その受信検査データをデータベース１３内に設けた受信テーブルに格納する（ステップ３０２）。この受信テーブルは、例えば図２のような検査データの各項目をそのまま対応づけ、受信時刻とともに格納したものである。又、受信検査データ内に街灯切れの情報があれば、それを操作表示部１２へ表示し、オペレータに街灯切れの発生を知らせる（ステップ３０３）。この表示では、街灯のＩＤとともにその設置場所名を表示し、また種別情報も街灯の品名等で表示するようにしておけば、オペレータは迅速に街灯交換の指示を作業員に知らせることができる。図４はこの表示例で、設置場所Ａ、Ｂはオペレータが容易にわかる町名、地番等である。また街灯切れが受信されたときには後述の保守データにもそのことを書き込む（ステップ３０４）。
【００１６】
以上の受信処理が終わった時、あるいは検査データ受信がなかったときは（ステップ３０１でＮＯ）、街灯を交換（もしくは新設）したことを知らせる入力があったかを調べ（ステップ３０５）、あればその該当する保守データを更新する（ステップ３０６）。街灯の保守データというのは、個々の街灯の新設又は交換の日時、街灯切れ発生の日時等をテーブル化したもので、これは例えば図５のようなテーブルである。即ち、ＩＤで示されるモジュール対応の街灯種別と、新設又は交換の日付には“ＥＸ”を付し、街灯切れの日付には“ＤＮ”を付したイベントの時系列が示されている。この街灯切れの日付はステップ３０４で記録されたものである。例えば図５のＩＤ＝Ｌ１で示されるモジュールの街灯種別はα（蛍光灯３０型等）で交換（ＥＸ）が２００１年５月１日、それが同年１２月３日に切れ、翌日の１２月４日に交換されたことを示している。このイベントの時系列は、新設以降すべてを記録しても良いし、現時点から適当なイベントの個数又は時間幅より以前のものを捨てるようにしてもよい。この保守データは操作表示部１２の操作により随時表示できるようにしておけば、各街灯の保守状況を時系列で知ることができる。
【００１７】
保守データ更新が終わったとき、あるいは街灯交換入力がなかったときは（ステップ３０５でＮＯ）、次に種別データ更新時刻かを調べる（ステップ３０７）。ここでいう種別データは図６に示したように、街灯の種別ごとに個々の街灯の寿命時間やその平均値、最小値等を記録したデータである。ここで個別寿命（個々の街灯の寿命）は、図５の保守データで交換（又は新設）から次の街灯切れまでの時間から求めることができる。又、寿命時間の長さとしては、交換から街灯切れまでの日付の経過日数でもよいし、実際の点灯時間をモジュールから送るようにしておいてその点灯の累計時間として算出してもよい。種別データ変更時刻になると図５の保守テーブルを調べ、新たな街灯切れが発生していたときは上記のような個別寿命を求めて図６のような種別データのテーブルへ格納し、寿命の平均値や最小値を更新する（ステップ３０８）。この種別データは随時操作表示部１２で参照できるようにしておけば、各種の街灯の寿命実績がわかるので、点検時期の予測や交換用品の仕入れ計画等を行う上で大きな効果が得られる。
【００１８】
なお、上記の種別データ更新時刻の周期は月に１度といった間隔でよく、図３のようにルーチンに組み込まず、手動で起動するようにしてもよい。
【００１９】
次に本発明は別の実施の形態を説明する。図７は、本発明の街灯監視システムの別の構成例を示すブロック図で、街灯設置場所毎にはモジュール８又はホスト７が設けられ、１つのホスト７には複数のモジュール８、８…が無線回線を介して接続されている。この１つのホストとそれに無線接続されたモジュール８、８…とからなる単位を以下ではセクタと呼ぶ。セクタ６、６…の各々は、ネットワークシステム５を介して管理機関装置４と接続されている。ここでネットワークシステム５としては、図１の場合と同様に利用可能なものであればよく、またセクタ毎に異なったネットワークであってもよい。
【００２０】
図７の構成では、各モジュール８、８…における街灯切れの検出部８３による検出方法や、制御処理部８２による検出結果の取り込みと検査データの生成、データメモリ８４への格納などの動作は図１の場合と同様に行われる。しかしデータメモリ８４に格納された検査データは、図１のように管理機関装置へ直接送信されるのではなく、一旦自セクタ内のホスト７へワイヤレス通信部８１を介して送信される。この検査データの送信フォーマットは図２のものと同じである。
【００２１】
ホスト７では、モジュール８、８…からワイヤレス通信部７３を介して検査データを受信すると、制御処理部７２はこれをデータメモリ７５へ格納するとともに、ホスト自体の検出部７４による検出結果を取り込んで検査データを生成し、やはりデータメモリ７５へ格納する。この検出部７４による検出方法や生成する検査データのフォーマットも図１、図２と同様である。この結果ホスト７のデータメモリ７５には、当該セクタ６内のすべてのモジュール及びホストで得られた検査データが格納されるので、制御処理部７２は通信部７１及びネットワークシステム５を介して、これらの検査データをまとめて周期的、あるいは管理機関装置からのコマンドに応じて管理機関装置４へ送信する。図８はこのときのデータフォーマットの例を示しており、どのセクタからの情報かを示すセクタ情報と、それに続く街灯（モジュール）１、２…の各々の検査データから成っている。なお、ホスト７としては、検査部を持たずセクタ内のモジュールの検査データ収集と管理機関装置との通信機能のみにしても構わない。
【００２２】
管理機関装置４の動作は図１の場合と同様で、ネットワークシステム５、通信部４３を介しての各セクタからの検査データの受信処理、及び保守管理のための処理を制御処理部４２が行い、その動作フローも図３と同様である。即ち検査データの受信とデータベース４４への格納までの受信処理で、各セクタ毎の検査データがまとまって処理される点が図１の場合と異なっているだけで、街灯切れがあったときの表示、保守データや種別データの生成・更新などの保守管理については全く同じである。
【００２３】
以上の図７の構成によると、いくつかのモジュールをまとめてセクタとし、管理機関装置との通信をセクタ単位で行うようにすることで、通信手段の全体としての節約、経済化を図ることができる。即ち、同一セクタ内に設けるモジュールは距離的に近く、簡易なワイヤレス方式、例えばブルートゥースなどにより通信が可能な伝送方式で同一セクタ内のホストと通信が行えるようにしておく。そしてホストにはネットワークシステム経由で管理機関装置と交信が可能な通信部を備えて、この通信部を用いて同一セクタ内で取り込んだ検査データを全てまとめて管理機関装置へ送るようにする。このようにすれば高価で複雑な機能を持つ通信部をモジュール毎に設ける必要がなくなるので、システム全体としてのコスト低減の効果が大きい。
【００２４】
【発明の効果】
本発明によれば、点在する多数の街灯の切れを迅速かつ確実に把握でき、交換作業を適切に行えるようになるとともに、街灯切れや交換の情報を時系列で保存することで、保守作業の予測や交換品の準備などに役立てることができる効果がある。
【図面の簡単な説明】
【図１】本発明になる街灯監視システムの構成例を示すブロック図である。
【図２】検査データのフォーマット例である。
【図３】管理機関装置における処理フローの例である。
【図４】管理機関装置における表示画面例である。
【図５】保守データの例である。
【図６】種別データの例である。
【図７】本発明になる街灯監視システムの別の構成例を示すブロック図である。
【図８】検査データの別のフォーマット例である。
【符号の説明】
１、４　管理機関装置
２、５　ネットワークシステム
３、８　モジュール
６　セクタ
７　ホスト
１１、３２、４２、７２、８２　制御処理部
１２、４１　操作表示部
１３、４４　データベース
１４、３４、４３、７１　通信部
３１、７４、８３　検出部
３３、７５、８４　データメモリ
７３、８１　ワイヤレス通信部
【図１】
2004014210.tif 000003
【図２】
2004014210.tif 000004
【図３】
2004014210.tif 000005
【図４】
2004014210.tif 000006
【図５】
2004014210.tif 000007
【図６】
2004014210.tif 000008
【図７】
2004014210.tif 000009
【図８】
2004014210.tif 000010